(57)【要約】【課題】    シート状部材を一々上げなくても、簡易に人が出入りすることができる建物の出入り部開閉装置を提供する。【解決手段】    建物の出入り部開閉装置１は、建物の出入り部を通気性のシート状部材１１で開閉する建物の出入り部開閉装置１であって、通気性のシート状部材１１に取り付けられ、通気性のシート状部材１１の下方に位置し、通気性のシート状部材１１の幅方向に亘って設けられた長手形状部材２と、通気性のシート状部材１１の縦方向に設けられると共に、人が出入りできる大きさの切り込み部３と、通気性のシート状部材１１に取り付けられ、切り込み部３を開閉するファスナー４とを備え、切り込み部３の下端部は、長手形状部材２を超えず、長手形状部材２の手前である。【選択図】    図４
0003117516.tif 000002
【実用新案登録請求の範囲】
【請求項１】
建物の出入り部を通気性のシート状部材で開閉する建物の出入り部開閉装置であって、
前記通気性のシート状部材に取り付けられ、前記通気性のシート状部材の下方に位置し、前記通気性のシート状部材の幅方向に亘って設けられた長手形状部材と、
前記通気性のシート状部材の縦方向に設けられると共に、人が出入りできる大きさの切り込み部と、
前記通気性のシート状部材に取り付けられ、前記切り込み部を開閉するファスナーとを備え、
前記切り込み部の下端部は、前記長手形状部材を超えず、前記長手形状部材の手前である
ことを特徴とする建物の出入り部開閉装置。
【請求項２】
ファスナーの引き手は、通気性のシート状部材の建物の内側に面する側の第１の引き手と前記建物の外側に面する側の第２の引き手とを有していることを特徴とする請求項１記載の建物の出入り部開閉装置。
【請求項３】
長手形状部材は、金属製部材で形成され、
通気性のシート状部材は、横材と縦材からなる合成樹脂製の網体である
ことを特徴とする請求項１又は２に記載の建物の出入り部開閉装置。
【請求項４】
通気性のシート状部材は、横材と縦材からなる合成樹脂製の網体であり、
切り込み部は、前記通気性のシート状部材の縦方向に設けられ、
前記切り込み部の左側に位置する前記通気性のシート状部材の部位に固着された合成樹脂製の左側取付部と、
前記切り込み部の右側に位置する前記通気性のシート状部材の部位に固着された合成樹脂製の右側取付部と、
ファスナーは、ジッパーテープの左側に取り付けられた左側務歯と、ジッパーテープの右側に取り付けられた右側務歯と、前記左側務歯と前記右側務歯とのかみ合わせ及び該かみ合わせを解除するスライドと、このスライドを引っ張る引き手とを有し、この引き手は前記通気性のシート状部材の建物の内側に面する側の第１の引き手と前記建物の外側に面する側の第２の引き手とを有し、
前記ジッパーテープの左側は、前記合成樹脂製の左側取付部に縫製により取り付けられ、
前記ジッパーテープの右側は、前記合成樹脂製の右側取付部に縫製により取り付けられていることを特徴とする請求項１又は２に記載の建物の出入り部開閉装置。
【考案の詳細な説明】
【技術分野】
【０００１】
本考案は、建物の出入り部開閉装置に係り、特に、シート状部材を一々上げなくても、簡易に人が出入りすることができる建物の出入り部開閉装置に関する。
【背景技術】
【０００２】
従来、建物の出入り部開閉装置、例えば、シートシャッターとして、シャッタ本体の一部に通気部を設けたものがある（特許文献１参照）。
【０００３】
しかしながら、上述のシートシャッターにあっては、建物の出入り部をシートシャッターで閉めた状態において、建物の内側から外側へ、逆に、建物の外側から内側へと出入りするためには、その都度、シートシャッターを一々開閉しなければならず、使用勝手が良好でないという問題点が生じた。
【特許文献１】特開平１１−２１０３５３号公報
【考案の開示】
【考案が解決しようとする課題】
【０００４】
本考案は、前記した問題点を除去するようにした建物の出入り部開閉装置を提供することを目的としている。
【課題を解決するための手段】
【０００５】
前記した目的を達成するための本考案の建物の出入り部開閉装置は、建物の出入り部を通気性のシート状部材で開閉する建物の出入り部開閉装置であって、前記通気性のシート状部材に取り付けられ、前記通気性のシート状部材の下方に位置し、前記通気性のシート状部材の幅方向に亘って設けられた長手形状部材と、前記通気性のシート状部材の縦方向に設けられると共に、人が出入りできる大きさの切り込み部と、前記通気性のシート状部材に取り付けられ、前記切り込み部を開閉するファスナーとを備え、前記切り込み部の下端部は、前記長手形状部材を超えず、前記長手形状部材の手前である。
【０００６】
また、請求項２記載の建物の出入り部開閉装置は、請求項１記載の建物の出入り部開閉装置において、ファスナーの引き手は、通気性のシート状部材の建物の内側に面する側の第１の引き手と前記建物の外側に面する側の第２の引き手とを有している。
【０００７】
また、請求項３記載の建物の出入り部開閉装置は、請求項１又は２記載の建物の出入り部開閉装置において、長手形状部材は、金属製部材で形成され、通気性のシート状部材は、横材と縦材からなる合成樹脂製の網体である。
【０００８】
また、請求項４記載の建物の出入り部開閉装置は、請求項１又は２記載の建物の出入り部開閉装置において、通気性のシート状部材は、横材と縦材からなる合成樹脂製の網体であり、切り込み部は、前記通気性のシート状部材の縦方向に設けられ、前記切り込み部の左側に位置する前記通気性のシート状部材の部位に固着された合成樹脂製の左側取付部と、前記切り込み部の右側に位置する前記通気性のシート状部材の部位に固着された合成樹脂製の右側取付部と、ファスナーは、ジッパーテープの左側に取り付けられた左側務歯と、ジッパーテープの右側に取り付けられた右側務歯と、前記左側務歯と前記右側務歯とのかみ合わせ及び該かみ合わせを解除するスライドと、このスライドを引っ張る引き手とを有し、この引き手は前記通気性のシート状部材の建物の内側に面する側の第１の引き手と前記建物の外側に面する側の第２の引き手とを有し、前記ジッパーテープの左側は、前記合成樹脂製の左側取付部に縫製により取り付けられ、前記ジッパーテープの右側は、前記合成樹脂製の右側取付部に縫製により取り付けられている。  
【考案の効果】
【０００９】
請求項１記載の建物の出入り部開閉装置によれば、通気性のシート状部材を介して、建物内に風を導くことができ、また、建物の出入り部を通気性のシート状部材で閉の状態において、シート状部材を一々上げなくても、ファスナーを開放して、切り込み部を介して人が出入りすることができ、しかも、ファスナーにより切り込み部を開いても、切り込み部は長手形状部材を超えないため、風によりシート状部材の下端がめくり上がらず切り込み部の広がりを防ぐ（切り込み部が広がると、広がった分、建物内に虫等が入りやすくなる。）と共に、ファスナーの開閉操作を容易に行うことができる（風によりシート状部材の下端がめくり上がると、ファスナーの開閉操作に支障を来す。）。
【００１０】
また、請求項２記載の建物の出入り部開閉装置によれば、上述した請求項１記載の考案の効果に加え、ファスナーの引き手が通気性のシート状部材の建物の内側に面する側の第１の引き手と前記建物の外側に面する側の第２の引き手とを有しているため、人が建物の内外にかかわらず、どちらの側にいてもファスナーの引き手（第１の引き手又は第２の引き手）を持って、切り込み部を開閉して、切り込み部を介して人が出入りすることができる。
【００１１】
また、請求項４記載の建物の出入り部開閉装置によれば、上述した請求項１又は２記載の考案の効果に加え、ファスナーを合成樹脂製の網体に合成樹脂製の左側取付部及び合成樹脂製の右側取付部を介して簡易に取り付けることができる。
【考案を実施するための最良の形態】
【００１２】
本考案の一実施例である建物の出入り部開閉装置を図面を参照して説明する。図１乃至図６において、１は建物の出入り部開閉装置で、建物の出入り部開閉装置１は、建物の出入り部を通気性のシート状部材１１で開閉するもので、建物の出入り部開閉装置１には、通気性のシート状部材１１の他に通気性のシート状部材１１の前、又は後に金属製のシャッター（図示せず）が併設されている。  
【００１３】
建物の出入り部開閉装置１は、概略的に、通気性のシート状部材１１と、この通気性のシート状部材１１の両端部を案内する溝部を有した左側フレーム１２、右側フレーム１３と、通気性のシート状部材１１を巻き取るドラム部１４とから、構成されている。
１５は、ドラム部１４を覆う覆い部である。ドラム部１４の回転は、図示しないチェーン等を使って手動でも、また、モータ（図示せず）によって正逆に回転して、通気性のシート状部材１１をドラム部１４に巻き取るようにようにしても良い。
【００１４】
通気性のシート状部材１１は、建物の中へ風を通すように通気性を有し、例えば、横材１１ａと縦材１１ｂからなる合成樹脂製の網体であり、メッシュ状の開口部を多数有している。図２に示す２は、通気性のシート状部材１１に取り付けられた長手形状部材で、長手形状部材２は、例えば、金属製部材で形成され、更に、詳述すれば、幅、約１０００ｍｍ〜約３６００ｍｍ、厚さ約３ｍｍ〜約６ｍｍの鉄製のフラットバーで、該フラットバーの周囲を図示しないスポンジを介して通気性のシート状部材１１に取り付けられている。長手形状部材２は、通気性のシート状部材１１の下方に位置し、通気性のシート状部材１１の幅方向に亘って設けられている（図１及び図２参照）。
【００１５】
図３及び図４に示す３は、人が出入りできる大きさの切り込み部、切り込み部３は、通気性のシート１１の縦方向に設けられると共に、人が出入りできる大きさ（例えば、切り込み部３の長さは、約１７００ｍｍ）で、切り込み部３の下端部は、通気性のシート１１の下方に位置する長手形状部材２を超えず、長手形状部材２の手前に位置している。
これは、後述するファスナー４により切り込み部３を開いても（図３参照）、切り込み部３の下端部は長手形状部材２を超えないため、風によりシート状部材１１の下端がめくり上がらず切り込み部３の広がりを防ぐ（切り込み部３が広がると、広がった分、建物内に虫等が入りやすくなる。）と共に、ファスナー４の開閉操作を容易に行うことができる（風によりシート状部材１１の下端がめくり上がると、ファスナー４の開閉操作に支障を来す）。
【００１６】
図５に示す４は、切り込み部３を開閉するファスナーで、ファスナー４は、通気性のシート状部材１１に取り付けられている。
ファスナー４は、ジッパーテープ４１の左側に取り付けられた左側務歯（ティース）４２と、ジッパーテープ４１の右側に取り付けられた右側務歯（ティース）４３と、左側務歯４２と右側務歯４３とのかみ合わせ及び該かみ合わせを解除するスライド４４と、このスライド４４を引っ張る引き手４５とを有し、この引き手４５は通気性のシート状部材シート１１の建物の内側に面する側の第１の引き手４５ａと前記建物の外側に面する側の第２の引き手４５ｂとを有している。
なお、ファスナー４の引き手４５が通気性のシート状部材１１の建物の内側に面する側の第１の引き手４５ａと前記建物の外側に面する側の第２の引き手４５ｂとを有しているのは、人が建物の内外にかかわらず、どちらの側にいてもファスナー４の引き手４５（第１の引き手４５ａ又は第２の引き手４５ｂ）を持って、切り込み部３を開閉して、切り込み部３を介して人が出入りすることができるようにするためである。
【００１７】
また、ファスナー４を通気性のシート状部材１１に直接取り付けてもよいが、この実施例では、ファスナー４は合成樹脂製の左側取付部５及び合成樹脂製の右側取付部６を介してシート状部材１１に取り付けるようにしている。
即ち、ジッパーテープ４１の左側は、合成樹脂製の左側取付部５に縫製により取り付けられ、ジッパーテープ４１の右側は、合成樹脂製の右側取付部６に縫製により取り付けられている。また、切り込み部３は、通気性のシート状部材１１の縦方向に設けられており、合成樹脂製の左側取付部５は、切り込み部３の左側に位置する通気性のシート状部材１１の部位に固着（例えば、熱融着）され、合成樹脂製の右側取付部６は、切り込み部３の右側に位置する通気性のシート状部材１１の部位に固着（例えば、熱融着）されている。
なお、合成樹脂製の左側取付部５及び合成樹脂製の右側取付部６は、一方の側のみでも良いが、図６に示すように、通気性のシート状部材１１の表裏両面に設けても良い。
また、合成樹脂製の左側取付部５及び合成樹脂製の右側取付部６は、例えば、ポリスチレン樹脂、メチルメタクリレート樹脂、ポリ塩化ビニル樹脂、エチレン酢酸ビニル樹脂、ポリカーボネート樹脂、アイオノマー樹脂等が使用できる。
【００１８】
従って、この建物の出入り部開閉装置１によれば、通気性のシート状部材１１を介して、建物内に風を導くことができ、また、建物の出入り部を通気性のシート状部材１１で閉の状態において、シート状部材１１を一々昇降しなくても、ファスナー４を開放して、図４に示すように、切り込み部３を介して人が出入りすることができる。
【図面の簡単な説明】
【００１９】
【図１】図１は、本考案の建物の出入り部開閉装置の概略的正面図である。
【図２】図２は、図１のＡ−Ａ線による概略的断面図である。
【図３】図３は、図１のファスナー操作により切り込み部を開いた状態の建物の出入り部開閉装置の概略的正面図である。
【図４】図４は、図３の切り込み部より建物の内側にいる人が建物の外側へと出る状態を示す概略的斜視図である。
【図５】図５は、図３の一部を拡大して示す概略的一部拡大正面図である。
【図６】図６は、図５のＢ−Ｂ線による概略的断面図である。
【符号の説明】
【００２０】
１…建物の出入り部開閉装置
２…長手形状部材
３… 切り込み部
４…ファスナー
１１…通気性のシート状部材
【図１】
0003117516.tif 000003
【図２】
0003117516.tif 000004
【図３】
0003117516.tif 000005
【図４】
0003117516.tif 000006
【図５】
0003117516.tif 000007
【図６】
0003117516.tif 000008